(57)【要約】第１セットに属する複数の情報アイテムのなかから１つの情報アイテムを提示するための方法及びメディアシステム。このメディアシステムはウェブテレビ、ブラウザ、又はウェブデバイスなどであってよい。この方法及びメディアシステムにおいてこの第１セットの各情報アイテムはそれぞれリファレンス（リンク、ウェブ又はＷＡＰアドレス等のＵＲＬなど）によってアクセス可能であり、この各情報アイテムの各リファレンスはそれぞれ第２セットに属する複数のオプションを有し、この第２セットの各オプションはそれぞれ所定の値を有する。このオプションにより例えばメディアコンテンツアイテムをコンテンツなし、音つき、画像つき、テキストなし、オーディオつき、発話つき、リンクつき、且つ受信電話又はＳＭＳの告知つきの設定で提示することが可能である。この方法は、第１セットの情報アイテムからの特定情報アイテムを提示するステップ（１００）を有し、ここでの提示形式はこの特定情報アイテムに属する第２セットの値によって規定され、またこの第２セットのオプションの値は特定ユーザの状況に対応するモードによって規定される。このユーザ状況は例えばメディアシステムが使用される状況などに対応しうる。この状況としては例えばミーティング中、ドライブ中、オフィス会議中などがある。またこの方法は更にモードを選択するステップ（２００）、選択されたモードに属するオプションの値を変更するステップ（３００）、モードを追加するステップ（４００）、モードを削除するステップ（４０１）、及び選択されたモードによる提示形式に応じて情報アイテムをサーバーから取り出しメディアシステムに提示するステップを有する。【特許請求の範囲】
【請求項１】
第１セットに属する複数の情報アイテムのなかから１つの情報アイテムをメディアシステムにおいて提示する方法であって、前記第１セットの各情報アイテムはそれぞれリファレンスによってアクセス可能であり、前記各情報アイテムの各リファレンスはそれぞれ第２セットに属する複数のオプションを有し、前記第２セットの各オプションは所定の値を有するところにおいて、
前記第１セットに属する複数の情報アイテムのなかから１つの特定情報アイテムを提示するステップで、前記提示における提示形式が前記特定情報アイテムに属する前記第２セットのオプションの値によって規定されるような提示ステップを有することを特徴とする方法。
【請求項２】
前記第２セットのオプションの値は第３セットに属する複数モードのなかから選択されるモードによって規定され、前記第３セットの各モードはそれぞれ特定ユーザ状況に対応することを特徴とする請求項１記載の方法。
【請求項３】
前記第３セットに属する複数モードのなかから１つのモードを選択するステップを更に有することを特徴とする請求項２に記載の方法。
【請求項４】
前記選択されたモードに属する前記第２セットのオプションの値を変更するステップを更に有することを特徴とする請求項３記載の方法。
【請求項５】
前記モードを選択するステップは、
前記第３セットのモードのうちの少なくとも１つのモードにおけるオプションの値を提示するか、あるいは
前記第３セットのモードのうちの少なくとも１つのモードに対応する表徴を提示し、
ユーザ入力に基づき前記第３セットのモードのなかから第２モードを選択するサブステップを有することを特徴とする請求項４記載の方法。
【請求項６】
前記選択されたモードに属する前記第２セットのオプションの値を変更するステップは、
前記第２セットのオプションの値を提示し、
ユーザ入力に基づき前記第２セットのオプションの値のうちの少なくとも１つの値を変更し、
前記変更された値を前記第２セットのオプションに記憶するサブステップを有することを特徴とする請求項５記載の方法。
【請求項７】
ユーザ入力に基づき前記第３セットのモードに第３モードを追加するか、あるいは
ユーザ入力に基づき前記第３セットのモードから第４モードを削除するステップを更に有することを特徴とする請求項６記載の方法。
【請求項８】
前記選択されたモードによる提示形式に応じて前記特定情報アイテムをサーバーから取り出しメディアシステムに提示するステップを更に有することを特徴とする請求項７記載の方法。
【請求項９】
請求項１乃至８のいずれかに記載の方法を実行するコンピュータシステム。
【請求項１０】
コンピュータ読取可能媒体に記憶されるプログラム符号手段を有するコンピュータプログラム製品であって、コンピュータに請求項１乃至８のいずれかに記載の方法を実行させることを特徴とするコンピュータプログラム製品。
【請求項１１】
第１セットに属する複数の情報アイテムのなかから１つの情報アイテムを提示するメディアシステムであって、前記第１セットの各情報アイテムはそれぞれリファレンスによってアクセス可能であり、前記各情報アイテムのリファレンスはそれぞれ第２セットに属する複数のオプションを有し、前記第２セットの各オプションはそれぞれ所定の値を有するところにおいて、
前記第１セットに属する複数の情報アイテムのなかから１つの特定情報アイテムを提示する手段で、前記提示における提示形式が前記特定情報アイテムに属する前記第２セットのオプションの値によって規定されるような提示手段を有することを特徴とするメディアシステム。
【請求項１２】
前記第２セットのオプションの値は第３セットに属する複数モードのなかから選択されるモードによって規定され、前記第３セットの各モードはそれぞれ特定ユーザ状況に対応することを特徴とする請求項１１記載のメディアシステム。
【請求項１３】
前記第３セットに属する複数モードのなかから１つのモードを選択する手段を更に有することを特徴とする請求項１２に記載のメディアシステム。
【請求項１４】
前記選択されたモードに属する前記第２セットのオプションの値を変更する手段を更に有することを特徴とする請求項１３記載のメディアシステム。
【請求項１５】
前記モードを選択する手段は、
前記第３セットのモードのうちの少なくとも１つのモードにおけるオプションの値を提示する手段、又は
前記第３セットのモードのうちの少なくとも１つのモードに対応する表徴を提示する手段、及び
ユーザ入力に基づき前記第３セットのモードのなかから第２モードを選択する手段を有することを特徴とする請求項１４記載のメディアシステム。
【請求項１６】
前記選択されたモードに属する第２セットのオプションの値を変更する手段は、
前記第２セットのオプションの値を提示する手段、
前記第２セットのオプションの値のうちの少なくとも１つの値を変更する手段、及び
前記変更された値を前記第２セットのオプションに記憶する手段を有することを特徴とする請求項１５記載のメディアシステム。
【請求項１７】
前記第３セットのモードに第３モードを追加する手段、又は
前記第３セットのモードから第４モードを削除する手段を更に有することを特徴とする請求項１６記載のメディアシステム。
【請求項１８】
前記選択されたモードによる提示形式に応じて前記特定情報アイテムをサーバーから取り出しメディアシステムに提示する手段を更に有することを特徴とする請求項１７記載のメディアシステム。
【発明の詳細な説明】
【技術分野】
【０００１】
本発明は第１セットに属する複数の情報アイテムのなかから１つの情報アイテムをメディアシステムにおいて提示する技術に関し、ここで第１セットの各情報アイテムはそれぞれリファレンスによってアクセス可能であり、情報アイテムの各リファレンスはそれぞれ第２セットに属する複数のオプションを有し、この第２セットの各リファレンスはそれぞれ所定の値を有する。
【０００２】
この第１セットの情報アイテムのうちの特定情報アイテムは例えばインターネット上でのウェブ又はＷＡＰアドレスなどのＵＲＬに相当しうるリンクなどのリファレンスによってアクセス可能であり、このリンクはブックマークリストの中に記憶されるものであってよい。このブックマークリストは例えば以前メディアシステムに提供されたことのあるお気に入りのリンクやＵＲＬなどのリストであってよい。第２セットのオプションは各情報アイテムをメディアシステムにおいてそれぞれ専用の特定提示形式で提示するために適用されうる。
【０００３】
本発明は更に上記方法を実施するコンピュータシステムに関する。
【０００４】
本発明は更に上記方法を実施するコンピュータプログラム製品に関する。
【０００５】
本発明は更に上記方法を実施するメディアシステムに関する。
【背景技術】
【０００６】
現在のウェブブラウザは典型的にはＨＴＭＬページを１つの提示形式によってのみ表示／提示することができる。スクリーン画面やディスプレイの表示領域が比較的大きく、カラーや動画を表示する機能をも具備しうるデスクトップやラップトップＰＣ（パソコン）においては、ウェブページをフォーマットして表示する技術はさほど重要視されない。よって典型的なウェブブラウザにおけるウェブページの提示制御オプションとしては画像の表示を可能にするか不可能にするかのオプションに限られる。そしてこのようなウェブブラウザのオプションは表示されるウェブページのコンテンツのすべてに適用される。
【０００７】
しかし様々な機器からのウェブアクセス（例えば携帯電話やＰＤＡ（パーソナル・デジタル・アシスタント）などによるモバイル・ウェブアクセスやＷＡＰアクセスなど）が発展していくにつれて、ウェブページを複数の異なる形式で提示する技術が必要とされてきている。このような異なるウェブページの提示は送信元サーバー上のいわゆるトランスコーディングソフトによって自動的に提示コンテンツが生成されることによって実現可能であり、またウェブブラウザ側が選択的に情報を表示することによっても実現可能である。トランスコーディングソフトはウェブページのコンテンツを特定装置での提示に自動的に対応させるために用いられる。また後者の場合、例えばユーザは自らの装置上でいくつかの異なるコンテンツ提示形式から１つの提示形式を選択しうる。
【０００８】
ところがある特定ウェブページにおける特定コンテンツに適する提示形式が必ずしも他のウェブページのコンテンツの提示に適するとは限らない。携帯機器に具備されるウェブブラウザの多くは、表示解像度、物理的な大きさ、受信したウェブページのコンテンツを提供するための処理能力などの限界から表示能力が限られている。よってもともと携帯機器上での表示に対応して作成されたものではないウェブページのコンテンツをこのような携帯機器で表示する場合、コンテンツ内の操作を容易にし、あるいはコンテンツを解読可能に表示するためにこのウェブページのコンテンツを異なる提示形式で提供する必要がある。
【０００９】
従来からブラウザはブックマークリストを備えている。このブックマークリストはユーザにとって有用又興味深いウェブページであってユーザが後に閲覧することを目的に記憶するウェブページへのリンクを提供する。このようなブックマークリストは典型的には頻繁にアクセスされるウェブページのリストを格納していて、これはＵＲＬストリングを入力することが厄介な操作となる携帯機器や非ＰＣ装置などにおいては特に有用であると考えられる。また、ブックマークリストにおけるブックマークは典型的にはそれぞれに対応するウェブページの内容に応じて名称が付けられていている。
【００１０】
下記の非特許文献は特定ウェブサイトを特定ウェブデバイスに対応させる技術について記述する。この文献に開示されるＦｌｅｘＸＭＬ技術は、ウェブユーザのオプション及びウェブブラウザ環境などに応じて自動的にＸＳＬスタイルシートを選択し、文書を作成し、ウェブデバイス上に提示するための適正コンテンツを提供する工程を含む。
【非特許文献１】“FlexXML:  Engineering  a  More  Flexible  and  Adaptable  Web,”  Alan  Kaplan,  Jack  Lunn;  Department  of  Computer  Science,  Clemson  University;  Proceedings  International  Conference  on  Information  Technology:  Coding  and  Computing,  pp.  405-410;  Los  Alamitos,  CA,  USA;  2001;  xiv+698  pp
【発明の開示】
【発明が解決しようとする課題】
【００１１】
なお、インターネットからコンテンツを提供する場合におけるブラウザの情報提供表示技術の問題点として、選択された表示又は提供オプションが表示されるべき全てのウェブページ及びウェブコンテンツに適用されてしまうという問題がある。また、選択されたオプションはユーザの状況などに関わらず全ての場合において適用される。例えばユーザはある状況においては特定のウェブページについてそこで提供される情報のすべてが提示されることを望み、また別の状況においては同じウェブページのテキストだけがすばやく表示されること（ウェブページにおける文字情報だけの提供）を望む場合などが想定されうる。すなわち従来のブラウザにおける提示技術はユーザがウェブブラウザを使用する際に異なる目的を有する場合及び／又はユーザが他の物理的に異なるデバイスのブラウザでのウェブページの提示に切り替える場合などには適応していない。したがって本発明は各種ブックマークに対応するウェブページがそれぞれのブックマークに付与される設定及び／又は選択されたユーザの状況に応じて容易に提示／表示されるように各種ブラウザ提示・表示機能を提供することを目的とする。
【課題を解決するための手段】
【００１２】
上記目的を達成するために本発明では上述の方法において、
第１セットに属する複数の情報アイテムのなかから１つの特定情報アイテムを提示するステップで、この提示における提示形式がこの特定情報アイテムに属する第２セットの各オプションの値によって規定されるような提示ステップを備える。
【００１３】
よってある情報アイテム、すなわちウェブ又はＷＡＰアドレスなどのＵＲＬによりリンクされるコンテンツは、この情報アイテムに属する第２セットのオプションの値に応じて提示されうる。
【００１４】
また、各種ブラウザ提示・表示機能を提供する目的は、各ウェブページがそれぞれに属する設定、つまり第２セットのオプションの設定、に応じて提示・表示されることによって実現される。
【００１５】
さらに、第２セットのオプションの値が第３セットに属する複数のモードのなかから選択されるモードによって規定され、この第３セットの各モードがそれぞれ特定ユーザの状況に対応するようにすることで、上記の各種ブラウザ提示・表示機能を提供する目的はより効果的に達成される。
【００１６】
各モードに対応するユーザ状況は特定の表示／再生能力を有する特定のメディアシステムが適用される状況に相当しうる。この状況は例えばミーティング出席中、運転中、オフィス会議中などの状況に相当しうる。
【００１７】
更に好適な実施形態において、本発明の方法は、
第３セットのモードのなかから１つのモードを選択するステップを備える。
【００１８】
よってメディアシステムのユーザは自らのメディアシステム上において他の提示形式を適用するために他のモードを選択することができる。
【００１９】
また別の好適な実施形態において、本発明の方法は、
選択されたモードに属する第２セットのオプションの値を変更するステップを備える。
【００２０】
よってメディアシステムのユーザは上記と同様に自らのメディアシステム上において他の提示形式を適用するために、既に選択されたモードにおけるオプションの値を変更することができる。
【００２１】
また、好適な実施形態において、上記モードを選択するステップは、
第３セットのモードのうちの少なくとも１つのモードのオプションの値を提示し、あるいは
第３セットのモードのうちの少なくとも１つのモードのオプションの表徴を提示し、
ユーザ入力に基づいて第３セットのモードのなかから第２モードを選択するサブステップを備える。
【００２２】
よってメディアシステムのユーザは上記第１サブステップでは１又は複数のモードのオプションの値をみることができ、また上記第２サブステップの場合１または複数のモードの表徴をみることができ、更にその後利用可能なモードのなかから新たなモードを選択することができる。
【００２３】
また、好適な実施形態において、選択されたモードに属する第２セットのオプションの値を変更するステップは、
この第２セットのオプションの値を提示し、
ユーザ入力に基づいて第２セットのオプションの値のうちの少なくとも１つのちを変更し、
この変更された値を第２セットに記憶するサブステップを備える。
【００２４】
よってメディアシステムのユーザは上記第１サブステップでは選択されたモードについてのオプションの値をみることができ、また上記第２サブステップの場合１又は複数のオプションの値を変更することができ、更にその後この変更された値を選択されたモードに記憶することができる。
【００２５】
また、好適な実施形態において、本発明による方法は更に
ユーザ入力に基づいて第３セットのモードに第３モードを追加するか、あるいは
ユーザ入力に基づいて第３セットのモードから第４モードを削除するステップを備える。
【００２６】
これらのステップにおいて、ユーザは複数の利用可能モードにモードを追加するか、あるいはこれらのうち少なくとも１つを削除することができる。
【００２７】
また、好適な実施形態によると、本発明による方法は更に、
選択されたモードの提示形式でサーバーから情報アイテムを取り出しメディアシステムの提示するステップを備える。
【００２８】
よって情報アイテムのコンテンツは必要に応じてサーバーから取り出されメディアシステムの提供されることが可能である。
【００２９】
また、好適な実施形態において、メディアシステムはウェブテレビ、ブラウザ、ウェブデバイスなどであってよい。
【００３０】
本発明の課題は更に第１セットに属する複数の情報アイテムのなかから１つの情報アイテムを提示するメディアシステムであって、前記第１セットの各情報アイテムはそれぞれリファレンスによってアクセス可能であり、前記各情報アイテムのリファレンスはそれぞれ第２セットに属する複数のオプションを有し、前記第２セットの各オプションはそれぞれ所定の値を有するところにおいて、
前記第１セットに属する複数の情報アイテムのなかから１つの特定情報アイテムを提示する手段で、前記提示における提示形式が前記特定情報アイテムに属する前記第２セットのオプションの値によって規定されるような提示手段を有することを特徴とするメディアシステムによって解決されうる。
【００３１】
なお、本発明によるメディアシステムの好適な実施形態は請求項１２から１８において記載される。
【００３２】
また、本発明におけるメディアシステムによって得られる効果は上述の本発明における方法による効果と同様である。
【発明を実施するための最良の形態】
【００３３】
以下において添付の図面を参照しながら本発明の好適な実施例をより詳細に説明する。
【００３４】
図１はデータ構造を示す図である。この図はシステム装置に記憶されるデータのデータ構造の原理を示す。この図においてデータは２次元形式で記憶される。このデータ構造の第１次元Ｍ、すなわちこの図におけるＸ軸に沿って配置されるデータはそれぞれ異なるモードを示し、これらのモードは例えばユーザの状況などを示すことができる。
【００３５】
このデータ構造の第２次元Ｐ、すなわちこの図におけるＹ軸に沿って配置されるデータはそれぞれ異なるオプションを示し、これらのオプションは例えば「１」又は「０」を有する／付与されることによってそれぞれ設定オプション又は非設定オプションを示すことができる。これらのオプションはある情報アイテムが提示される際にこの情報アイテムがユーザのメディアシステム上にどのように提示されるべきかを確定するために用いられる。
【００３６】
なお、一般的に「情報アイテムを提示する」という表現はメディアシステム上に情報アイテムを表示すると共にこの情報アイテムに音声、音楽、発話などが含まれる場合はこれらをもメディアシステム上において出力することを意味することとする。
【００３７】
上記第２次元上のＰはそれぞれ値「１」を有する場合、すなわち設定の値が付与されている場合は、例えば以下の意味を有しうる。
Ｐ１：全てのコンテンツをあらゆる方法によって提示する
Ｐ２：音を提示する
Ｐ３：画像を提示する
Ｐ４：テキストを提示する
Ｐ５：オーディオを提示する
Ｐ６：発話という形式でテキストを提示する
Ｐ７：リンクを提示する
Ｐ８：電話の受信を告知する
Ｐ９：ＳＭＳの受信を告知する
Ｐ１０：メールの受信を告知する
また、これに対応して第２次元上のオプションＰはそれぞれ値「０」有する場合、すなわち非設定の値が付与されている場合は、例えば以下の意味を有しうる。
Ｐ１：全くコンテンツを提示しない
Ｐ２：音を提示しない
Ｐ３：画像を提示しない
Ｐ４：テキストを提示しない
Ｐ５：オーディオを提示しない
Ｐ６：発話という形式でテキストを提示しない
Ｐ７：リンクを提示しない
Ｐ８：電話の受信を告知しない
Ｐ９：ＳＭＳの受信を告知しない
Ｐ１０：メールの受信を告知しない
このように第１次元のモードＭはそれぞれＰ１からＰ１０についての情報を一般的には「０」（非設定値）又は「１」（設定値）という形で示す。
【００３８】
例えばこの図におけるモードＭ１はオプションＰ１からＰ９について以下の値を有する。Ｐ１＝０、Ｐ２＝１，Ｐ３＝１，Ｐ４＝０，Ｐ５＝１，Ｐ６＝１、Ｐ７＝１，Ｐ８＝１，Ｐ９＝１。ここからモードＭ１で提示されるメディアコンテンツアイテムは以下のようなオプション設定によって提示されることが把握できる。
Ｐ１：メディアコンテンツアイテムをコンテンツなしで表示する
Ｐ２：メディアコンテンツアイテムの音を再生する
Ｐ３：メディアコンテンツアイテムの画像を表示する
Ｐ４：メディアコンテンツアイテムをテキストなしで表示する
Ｐ５：メディアコンテンツアイテムのオーディオを再生する
Ｐ６：メディアコンテンツアイテムのテキストを発話という形式で再生する
Ｐ７：メディアコンテンツアイテムのリンクを表示する
Ｐ８：電話の受信を告知する設定でメディアコンテンツアイテムを提示する
Ｐ９：ＳＭＳの受信を告知する設定でメディアコンテンツアイテムを提示する
なお、Ｐ１で「メディアコンテンツアイテムをコンテンツなしで表示する」と規定されているのに対し、モードＭ１における他のオプション設定が考慮されていること、すなわちオプションＰ２からＰ９がＰ１とともに考慮されていることは矛盾していると思われる。しかし一般的にこのようなオプション間の矛盾は種々の規則を適用することによって個々の実施例において解消されうる。このような規則としては、例えば２以上のオプション設定間で矛盾が見受けられる場合どのオプションのどの設定が優先されるかなどについて定める規則などが適用されうる。
【００３９】
また２以上の提示オプションが組み合わせられることも可能である。例えば「音声のみ」（発話によるウェブページの提供）の設定と「リンクのみ」の設定を組み合わせることなどが可能である。また、メディアシステムの構成、状況、及び／又は適用モードなどによって他のオプションを提供することも可能である。また、ユーザがあるウェブサイトをブックマークする際、このユーザはこのウェブサイトについて１つ（又は複数―これらオプションは相互排他的である必要はない）の提示オプションを選択するように促されることもありうる。この場合、これ以後このブックマークがアクセスされた際、そのコンテンツ、すなわちウェブページはこの選択された提示オプション、すなわち選択されたモードに対応する設定に従って提示されうる。また、コンテンツの提示中の告知設定（メールの受信、ＳＭＳの受信又は電話の受信などの告知）はオン又はオフに設定可能である。
【００４０】
一般的に１つのモードはいくつかのオプションをセットとして有し、ここでの各オプションはそれぞれ個々に設定又は非設定とされうる。ここで設定されたオプションはある情報アイテム（例えばあるコンテンツを参照するリンク）がこの設定オプションに応じて提示されるべきであることを示す。また、非設定とされたオプションはこの逆を意味する。
【００４１】
例えば情報アイテムがテキストへのリンクに相当し、（選択されたモードで）設定されているオプションがＰ６のみである場合、メディアシステムは発話という形式でテキストを再生しうる（すなわちこの特定事例においては情報を音声のみによって提示する）。
【００４２】
図示されるモードＭ１からＭ６には、ユーザがモードのオプションを見るあるいはモードを選択する（すなわち他のモードへ切り替える）際それぞれのモードを容易に認識且つ連想できるようにするための名称あるいはシンボルが付与されることも可能である。
【００４３】
なお、上述の例においては９つのオプション及び６つのモードが示されているが、本発明はこの例に限定されることはなく例えば第１次元が延長され更に多くのモードを示すようにすることも可能であり、同様に第２次元が延長され更に多くのオプションを示すようにすることも可能である。
【００４４】
図２はメディアシステムにおいて第１セットに属する情報アイテムのうちの１つの情報アイテムを提示する方法を示す。
【００４５】
この第１セットに属する各情報アイテムは例えばインターネットの分野におけるウェブやＷＡＰアドレスとしてのＵＲＬなどのリンク等に相当しうるリファレンスによってアクセスされうる。この第１セットの情報アイテムは例えばブックマークリスト、すなわち以前に同メディアシステムに提供されたことがあるお気に入りのリンク又はＵＲＬのリストに相当しうる。
【００４６】
各情報アイテムのリファレンス（リンク）はそれぞれ第２セットに属する複数のオプションの設定値を有する。すなわち第２セットの各オプションは所定あるいは与えられた値を有する。このようにそれぞれ「０」又は「１」の設定値を有する第２セットのオプションは例えば図１に示されるオプションＰ１からＰ９に相当しうる。
【００４７】
従来技術によるブラウザに対して本発明ではいわゆるブックマークリストに更なるフィールド（すなわち第２セットのオプション）が追加される。これらのフィールドは複数のフラッグのセットを記憶するために用いられる。すなわち各フラッグに「０」又は「１」の値が設定され、よってリンクされるウェブページのそれぞれが各種パラメータ（例えば図１のＰ１からＰ９）に基づきユーザへどのように提供されるべきか、すなわち各ウェブページがメディアシステムにおいてどのように表示及び／又は再生されるべきかが把握されうる。
【００４８】
ステップ９９においてこの方法は開始される。ここで変数、フラッグ、バッファ、情報アイテム、情報アイテムのコンテンツ、オプション、及びモードはメディアシステムのデフォルト状態に設定される。この方法が２度目以降に開始される場合は、不正の変数、フラッグ、バッファ、情報アイテム、オプション、情報アイテムのコンテンツ、及びモードのみがメディアシステムによってデフォルト値にリセットされる。
【００４９】
ステップ１００では、情報アイテム（上述のようにこの情報アイテムはＵＲＬリンクによってアクセスされうる）がメディアシステムにおいて提示される。この情報アイテムは例えば上述の複数情報アイテムを含む第１セット、すなわちブックマークリスト、に属するものであってよい。換言すると、この情報アイテム（リンクによって参照されるコンテンツ）は特定の提示形式でメディアシステム上に提示されうる。
【００５０】
この情報アイテムの特定提示形式（メディアシステムにおいて提示される際の提示形式）は、同情報アイテムに属する第２セットの各オプションの値によって規定されうる。換言すると、この提示形式は例えば図１に示されるオプションＰ１からＰ９を含む第２セットのオプションの値（設定又は非設定）によって確定されうる。
【００５１】
一般的にステップ１００ではリンク（リンクされるコンテンツ）がメディアシステムにおいて提示される。このリンクは例えばブックマークリストに含まれるものであってよく、このリンクのコンテンツは同リンクに付与されるオプション設定に基づいて提示されうる。このオプション設定はコンテンツがメディアシステムにおいてどのように提示されるべきかを規定しうる（例えば音、画像、テキスト、オーディオ、発話などを提示するか否かなど）。
【００５２】
なお、一般的に「情報アイテムを提示する」という表現及びこれに類似する表現は、情報アイテムをメディアシステム上に表示すると共にこの情報アイテムに音声、音楽、発話などが含まれる場合はこれらをもメディアシステムにおいて再生することを意味する。但し選択された提示形式（第２セットの各オプションの値によって規定される提示形式）で除外される情報アイテムの要素は提供されない。
【００５３】
また、ステップ１００において用いられる第２セットの各オプションの値は更に複数のモード（第３セットのモード）のなかから選択されるモードによって規定されうる。この第３セットの各モードは例えば特定ユーザの状況を示す。よって上述のメディアシステムにおける情報アイテムの提示形式もこの選択されたモードによって規定されうる。図１を参照して説明すると、ある情報アイテムの提示形式は選択されたモードによって規定され、より具体的にはこのモードが有する各オプションの設定によって規定されうる。さらにこの第３セットの各モードはそれぞれ特定ユーザの状況を示し、例えば図１のモードＭ１からＭ６のいずれかに該当することが可能である。
【００５４】
一般的にある選択されたモードによって示されるユーザの状況は、特定メディアシステムの適用される状況などに対応しうる。後述するこの適用状況は、例えばミーティング出席中、運転中、オフィス会議中などに該当しうる。そしてメディアシステムのモードによって示されるユーザの状況は同メディアシステムの適用状況と提示能力（例えば表示能力、表示の大きさ、再生能力など）とを組み合わせて構成されうる。
【００５５】
要するに情報アイテム（リンクされるコンテンツ）は、そのリンクに属するモードの規定するオプション設定でメディアシステム上に提示されることが可能である。
【００５６】
ステップ２００ではメディアシステムにおいてモードが選択されうる。このモードは上述の第３セットのモードの中から選択されうる。なおステップ２００は、ステップ２０１、２０２、及び２０３の総括ステップを構成する。また、選択されるモードは例えば図１のモードＭ１からＭ６のうちのいずれかに相当しうる。
【００５７】
例えばユーザはある特定ブックマークのウェブページをすばやく読むこと、例えば各種新聞のウェブページのニュースにすばやく目を通すことを目的（第１目的）としていて時間のかかる動画、映像、点滅する宣伝などには煩わされたくないという状況にいる場合がある。このような状況を表すモードが例えば図１において「１」に設定されるオプションが最も少ないモードＭ３に該当しうる。
【００５８】
ところでこの同じユーザがこの特定リンクの全コンテンツを見ることを希望する（第２目的）また別の状況にいる場合もありうる。例えば上述の例から継続して同ユーザは前回選択されたモードとは異なる別のモードを選択し、上記の特定のブックマークのウェブページにおける全コンテンツ、すなわちこのウェブページに含まれるニューステキストのみならず非読コンテンツをもみること希望しうる。換言すると、ユーザはインターネット上で上述の新聞のウェブページにアクセスする際に同ウェブページに含まれる全ての情報、すなわち画像、映像、宣伝、音声、ビデオなどをすべて含めた情報を提示されることを希望する場合がある。このような状況を表すモードが例えば図１において「１」に設定されるオプションが最も多いモードＭ１又はＭ４に該当しうる。
【００５９】
また、同ユーザは、更に別の提示形式を要する更に別の状況にいる場合がある。例えばユーザはミーティングに出席している間などある業務に従事している間にウェブページを見ることを希望する場合がありうる。すなわちミーティングなどにおいてユーザがウェブページを閲覧する場合、この閲覧によって発生する音がミーティングを妨害する恐れがあるためこのような音の発生を抑制することが望まれる。よってこのような状況に対応して「ミーティング」モードによるウェブページの提示形式が望まれる。この場合ユーザは例えば図１においてオプションＰ２，Ｐ５，及びＰ６がそれぞれ「０」の値を有する（音なし（Ｐ２）、オーディオなし（Ｐ５）、及び発話形式でのテキストの提示なし（Ｐ６）の設定を有する）モードＭ２を選択することができる。
【００６０】
しかしこのモードＭ２ではオプションＰ９の値が「１」に設定されているため（ＳＭＳを受信した際はこれを告知する設定）、これがユーザを妨害しうる。したがってユーザはオプションＰ９の値を「０」に変える（ＳＭＳの受信を告知しないようにする）ことを希望する場合がある。このような操作は以下に示されるステップ３００からステップ３０４によって実行されうる。
【００６１】
また、ユーザは既にオプションＰ９の値が「０」に設定されているモードＭ３を選択することもできる。
【００６２】
また別の例においてユーザは車を運転しているなどの状況にいて表示ディスプレイが小さく且つ提示機能が限られているＰＤＡなどの小型ウェブブラウザ装置だけを携帯している場合がありうる。よってこのような状況に対応する「ドライブ」モードによるウェブページの提示形式が望まれる。運転中などの状況においては、ＰＤＡ等のウェブブラウザ装置がウェブページのコンテンツを主に音声という形式でラウドスピーカーやヘッドホンなどを介して発することが好適である。この場合ユーザは好ましくはオプションＰ６（メディアコンテンツアイテムのテキストを発話形式で再生するオプション）が「１」に設定されているモードを選択する。すなわち図１の例ではモードＭ１，Ｍ４，又はＭ６を選択することが好ましい。
【００６３】
ステップ２０１では第３セットのモード（これが提供される場合）のうちの少なくとも１つのモードにおける各オプションの値が提示される。
【００６４】
このステップでは例えば少なくとも１つのモードにおける図１の各オプションＰ１からＰ９それぞれに対応する値がメディアシステム上に提示される。よってメディアシステムのユーザは次のステップ２０３において新たなモードを選択する前に選択対象とするモードにおけるオプションの設定を見て検討することができる。
【００６５】
ステップ２０２ではメディアシステムにおいて第３セットのモードのうちの少なくとも１つのモードに対応する表徴が提示される。すなわちこのステップでは上記ステップの代わりにメディアシステムが１または複数のモードの表徴を提示する。この表徴は各モードに例えば名称、シンボル、アイコン、などを付与するという形をとることができる。ここでメディアシステムのユーザは容易にモードを識別することができ、またこの特定モードの設定オプションを連想することができる。
【００６６】
ステップ２０３ではユーザの入力に基づき第３セットのモードの中から新たなモード（第２モード）が選択される。なお、メディアシステムのユーザはこのステップの前に上記ステップ２０１又はステップ２０２を経ているものとし、ここで第３セットのモードから第２モードとして１つのモードを選択する体制に入る。この第３セットに属するモードとしては例えば図１のモードＭ１からＭ６が適用されうる。
【００６７】
ステップ３００では選択されたモードにおける第２セットの各オプションの値が変更されることが可能である。なお、ステップ３００はステップ３０１からステップ３０３の総括ステップを構成する。このステップでユーザはメディアシステム上において第２セットのオプション設定のうちの１または複数を変更することができる。なお、ここでの第２セットのオプション設定は現在選択されているモードにおけるオプション設定に相当する。
【００６８】
例えばユーザはあるモード（以前に選択されたモード）のままで特定の提示形式でのコンテンツの提示を希望する場合がありうる。具体的には例えばユーザは「オフィス」モードで特定ブックマークのウェブページについてはそのコンテンツをすばやく読むこと、すなわち各種新聞などのウェブページのニューステキストにすばやく目を通すことを希望するためこれらの新聞のウェブページをインターネットからアクセスする場合はメディアシステム上にテキスト情報だけが粗テキストの形式で提示されることを希望する場合がありうる。このような設定はユーザがＰＤＡなどの簡素なメディアシステムを使用する場合などにおいて好適であるが、もちろんウェブテレビなどより高度なメディアシステムを適用する場合においても好適である。
【００６９】
また、上記の例から継続して、同ユーザが上記と同様の状況において、すなわち「オフィス」モードのままでメディアシステムを使用することを希望するなかで、上記と同一の特定ブックマークのウェブページを今度はじっくりみることを希望しうる。すなわちユーザは自らのメディアシステムにおいてインターネットからこれらの新聞などのウェブページにアクセスする際、同ウェブページに含まれる情報すべて（画像、映像、宣伝、音声、音楽、発声などすべて）が提示される状態でウェブページのコンテンツを受信することを希望する場合がありうる。よってユーザはこれに応じて選択されたモードにおける第２セットのオプション設定値のうちの１または複数を変更する必要がある。この例においては、オプションＰ２，Ｐ３，Ｐ５及びＰ７が変更の対象となることとする。すなわちこれら各オプションの値はそれぞれ「１」に設定され、よって「コンテンツの音を再生する」、「コンテンツの画像を表示する」、「コンテンツのオーディオを再生する」というオプションが適用されてウェブページのコンテンツに音、画像、オーディオなどが含まれる場合はこれらが提示される。
【００７０】
ステップ３０１ではメディアシステム上に第２セットのオプションの設定値が提示される。ここでメディアシステムは現在選択されているモードにおいて現在選択されている第２セットの各オプションの設定状態を提示しうる。これらのオプション設定を提示されることによってユーザは次の２つのステップにおいてこれらの設定を変更且つ記憶するかについて検討できる。なお、メディアシステムでは例えば各オプションについてチェックボックスが提示され、このチェックボックスにチェックが付与されるか否かによって対応するそれぞれのオプションが設定か非設定かが示されるような構成であってよい。すなわちチェックの付与されたチェックボックスは図１における設定値「１」を表し、これに対しチェックが付与されていないチェックボックスは図１における設定値「０」を表す。
【００７１】
例えばユーザは車を運転しているという状況にいて、表示ディスプレイが小さく且つ提示機能が限られているＰＤＡなどの小型ウェブブラウザ装置だけを携帯している場合がある。よって運転中などの状況においては「ドライブ」モードによるウェブページの提示形式が適用されうる。この場合、ＰＤＡ等のウェブブラウザ装置は例えばウェブページのテキストコンテンツを主に音声という形式でラウドスピーカーやヘッドホンなどを介して発することができる。ここでユーザは既にオプションＰ６（メディアコンテンツアイテムのテキストを発話形式で再生するオプション）が「１」に設定されているモードを選択していることもある。例えばこのモードとしてＭ１が選択されているという場合がある。ところがユーザはモードＭ１における一部のオプションの値（設定）に対して不満を抱く場合もありうる。よってユーザはここのステップにおいてメディアシステムにモードＭ１における各オプションの設定値を提示させ、次のステップにおけるオプション設定の一部変更（これが要される場合は）に備えることができる。
【００７２】
ステップ３０２ではユーザの入力に基づいて第２セットのオプションのうちの少なくとも１つが変更されうる。例えばこの第２セットのオプションは直前のステップの説明におけるチェックボックスをクリックすることによって変更されうる。具体的には例えばある設定が「０」であった場合これに対応するオプションのチェックボックスをクリックすることによってこの設定が「１」に変更されうる。また、同様に「１」に設定されたオプションはこれに対応するチェックボックスをクリックすることによってこの設定状態が解除され、非設定状態の「０」に変更されうる。
【００７３】
ユーザが運転中にＰＤＡをモードＭ１で使用する例の続きにおいて、ユーザはこのステップでこのモードＭ１のままで提示形式をより適切にするためにモードＭ１におけるオプションの設定値のうちの１または複数の値を変更することができる。
【００７４】
ステップ３０３では変更された第２セットのオプション設定が記憶されうる。ユーザは変更を希望する第２セットの設定値をすべて検討したあとこの変更した値を記憶できる。
【００７５】
モードＭ１でＰＤＡを使用する例のつづきにおいて、ユーザはこのステップでモードＭ１におけるオプションのうちの変更された１または複数の設定値を記憶できる。
【００７６】
ステップ４００ではユーザの入力に基づいて第３セットに属するモードとして更に新たなモード（第３モード）を追加することができる。すなわちメディアシステムのユーザは利用可能なモードとして新たなモード（第３モード）を追加することを希望する場合がありうる。例えばユーザは新たなジョブ状況、他のメディアコンテンツへの関心（他の情報アイテムへのリンク）、他の異なるメディアシステム、他の提示形式への関心などを有することにより自らのメディアシステムに新たなモードを追加することを希望する場合がありうる。また、ステップ２０２の説明で言及されているように、ユーザはこのステップでこの新たに追加された第３モードに表徴を付与し、この第３モードを連想し易くすることができる。この表徴は例えば名称、シンボル、アイコンなどであってよい。
【００７７】
ステップ４０１ではユーザの入力に基づいてあるモード（第４モード）を第３セットのモードから削除することができる。すなわちメディアシステムのユーザは古いモード（第４モード）を利用可能なモード（第３セットのモード）から削除することができる。例えばユーザは他のジョブ状況、情報アイテム、提示形式などがあるため、古いモードをメディアシステムから削除することを希望する場合がる。
【００７８】
ステップ５００では選択されたモードでの提示形式で情報アイテムがサーバーから取り出されメディアシステムへ提供される。すなわちこのステップでは上記情報アイテムがサーバーから取り出されメディアシステムにダウンロードされうる。例えば上記情報アイテムのコンテンツは、新たに設定されたオプションや新たに設定されたモードでは提示不能となる場合がある。したがって設定されたモードに対応する新たな提示形式に応じてコンテンツを（再度）取り出さなければならない場合がある。また、情報アイテムのコンテンツがメディアシステムに存在しない場合などもあり、この場合情報アイテムのコンテンツをサーバーから新たに取り寄せる必要がある。
【００７９】
一般的に選択された提示形式において除外される情報アイテムの１または複数の要素はステップ１００では提示されず、また可能な場合このステップでこの要素はメディアシステムにダウンロードされない。例えばユーザが画像を表示しないというモードを選択した場合、画像はダウンロードされない。また、以前にこの情報アイテム（例えばウェブページ）が画像つきでダウンロードされていた場合は、本実施例の方法による（モードの）オプション設定の適用により次の提示ステップ１００では画像の表示を省略することが可能である。この場合ステップ５００では画像なしのウェブページをダウンロードする必要はない。
【００８０】
通常、図２の方法は、この方法を実施するメディアシステムの電源が入っていている間繰り返される。また、電源が切られた場合この方法はステップ６００で終了するが、このメディアシステムにまた電源が入れられた場合同メディアシステムはステップ１００からこの方法を再開する。
【００８１】
図３はメディアシステム及びコンピュータ読取可能媒体を示す。この図において符号３０はウェブテレビ、ブラウザ、ウェブデバイスなどに該当しうるメディアシステムを示す。符号３５によって示されるユーザはメディアシステム３０を操作し、同メディアシステムに情報を提示させることが可能である。ユーザによるメディアシステムの操作により、同メディアシステムのディスプレイ３１上に情報が提示されうる。また、ユーザによるメディアシステムの操作によりオーディオ情報がスピーカ３３を介して提供されうる。また、ユーザは入力装置３２を用いてディスプレイ３１に提示される指示に対する応答を入力することができる。この入力装置はキーボード、接触感知フィールド、またはマウスなどに該当しうる。また、メディアシステム３０は更にプロセッサ３４を備えることができる。このプロセッサはインターネット接続３６などの接続を介して入力装置からの入力を受信する。そしてこのプロセッサは図２の説明で示されるようにディスプレイ３１及びスピーカ３３を用いて情報を提示する。さらにこのプロセッサは上記の方法のステップを実施するのに適用されうる。
【００８２】
コンピュータ読取可能媒体は符号３７によって示される。そして上記方法のステップはコンピュータプログラム製品によって実施されることが可能である。
【００８３】
なお、このコンピュータ読取可能媒体は磁気テープ、光学ディスク、デジタルビデオディスク（ＤＶＤ）、コンパクトディスク（ＣＤ又はＣＤ−ＲＯＭ）、ミニディスク（ＭＤ）、ハードディスク、フロッピー（登録商標）ディスク、スマートカード、ＰＣＭＣＩＡカードなどに該当しうる。
【００８４】
ウェブデバイスとしては携帯電話、ＰＤＡ、ウェブタブレットや、その他ウェブページコンテンツを要求し、且つ表示あるいは提示することが可能な携帯用インターネットアプリケーションを実行する電子装置などが適用されうる。
【図面の簡単な説明】
【００８５】
【図１】データ構造を示す図である。
【図２】情報を提示する方法を示す図である。
【図３】メディアシステム及びコンピュータ読取可能媒体を示す図である。
【図１】
2005521134.tif 000002
【図２】
2005521134.tif 000003
【図３】
2005521134.tif 000004
【国際調査報告】
2005521134.tif 000005
2005521134.tif 000006
2005521134.tif 000007